(57)【要約】【課題】窓が壁面の片側に位置した旧来の浴室をユニットバスに改装するには、大掛かりで長い工期を要し、しかもハツリ作業のための騒音や粉塵対策も講じる必要があったという点の解決を課題とする。【解決手段】窓１が躯体壁面の片側に位置した既設浴室の内部に、防水パン４と壁面パネル２，３と天井パネル５とからなるユニットバスルームを構築する際、壁面を構成した一つの壁面パネル２の窓１の前面に対応した個所を開放して開放部２ａを形成すると共に、この開放部２ａに連続するように、前記壁面パネル２に隣接した他方の壁面パネル３に凹設部３ａを設けることにより、既設の窓１をそのまま利用できるようにした。【選択図】　図１
2004003223.tif 000002
【特許請求の範囲】
【請求項１】
建物躯体の内部に、床パンと壁面パネルと天井パネルとで構築されるユニットルームであって、
このユニットルームは、躯体側の内部隅角部寄りに設けられた既設の窓に対応するように、壁面を構成した一つの壁面パネルに、窓の形状に応じた開放部が設けられると共に、この開放部に連続するように前記壁面パネルに隣接した他方の壁面パネルあるいは天井パネルに、凹設部が設けられていることを特徴とするユニットルーム。
【請求項２】
上記開放部と凹設部は、壁面パネルまたは壁面パネルと天井パネルを切欠して形成された開口の周囲に、躯体側に突出するように断面略Ｌ字形の枠部材を取り付けた構成を有し、かつ、前記凹設部の底面となる個所には、窓の周囲一側に連続するように平板パネルが取り付けられていることを特徴とする請求項１記載のユニットルーム。
【請求項３】
上下の枠部材の対向した面に、それぞれ平面視略Ｌ字形のカバーパネルが取り付けられたことを特徴とする請求項２記載のユニットルーム。
【請求項４】
枠部材の室内に面した側にカバー部材が取り付けられ、このカバー部材の内側面に沿って設けられた係合溝に、カバーパネルの端縁が係合したことを特徴とする請求項３記載のユニットルーム。
【発明の詳細な説明】
【０００１】
【発明の属する技術分野】
本発明は、アパートやマンション、あるいは公団住宅などの集合住宅を対象とした改装用のユニットルームに関する。
【０００２】
【従来の技術】
従来、この種のユニットルームとしては、特開平７−２３８６９６号や、特開平１１−６２２８６号に示されるものがあった。
【０００３】
これらは共に既設の浴室の内部に、防水パンと壁面パネルおよび天井パネルとからなるユニット化されたバスルームを新たに構築するものである。
【０００４】
ここにおいて、ユニットルームの壁面を構成する壁面パネルの外側と、躯体の内壁面との間には、特開平１１−６２２８６号公報にも記載されている通り、通常、１０〜２００ｍｍ程度の間隙が設けられていた。
【０００５】
また、一般にこの種の壁面パネルの裏面には、保温性を確保するため、数１０ｍｍ程度の厚さの断熱保温材が添設されているので、この厚さ分だけ、さらに壁面パネルの内表面は、躯体の表面から離れ、浴室の内方に位置することとなっていた。
【０００６】
なお、上記公報には、窓の部分の構成が開示されていないが、一般にこの種のユニットルームでは、建物に設けられた窓の前面に設置される壁面パネルを、窓の前面に位置した個所が開口となるように切除した後、その周囲に框状に窓枠部材を取り付けることにより、既設の窓をそのまま利用するということが行われていた。
【０００７】
【発明が解決しようとする課題】
上述した従来のユニットルームでは、建物側に設けられた窓の位置に、開口が形成されるように壁面パネルを加工することとしていたが、上述したように、この壁面パネルは、躯体の内壁面からある程度離れた位置に設置され、かつ、その裏面には、断熱保温材が取り付けられているので、この壁面パネルの内壁面は、一層、建物躯体から離れることとなり、そのため、窓が建物の隅角部寄りに設けられている場合には、壁面パネルの外側に窓の一部がはみ出すこととなり、対応できないという問題点があった。また、このように窓と直交した方向の壁面パネルが窓の前面にかかると、旧来の浴室で多く用いられていた倒れ込み式の窓の場合、窓の開放が妨げられることとなり、体裁が悪いばかりか、機能も損なわれることになるという問題点も生じた。
【０００８】
さらに、この点を解決するためには、窓が設けられた躯体の壁面をハツリ作業などで壊し、新たな位置に窓を形成しなくてはならず、作業が大掛かりになるばかりか、騒音や振動等も発生し、集合住宅の場合、施工費用や日数の面からも現実的な対応策には、なり得なかった。
【０００９】
本発明は、上記従来の改装用のユニットルームが有していた問題点の解決を課題とする。
【００１０】
【課題を解決するための手段】
上記の課題を解決するために、本発明のうち、請求項１記載の発明は、建物躯体の内部に、床パンと壁面パネルと天井パネルとで構築されるユニットルームにおいて、躯体側の内部隅角部寄りに設けられた既設の窓に対応するように、壁面を構成した一つの壁面パネルに、窓の形状に応じた開放部を設けると共に、この開放部に連続するように前記壁面パネルに隣接した他方の壁面パネルあるいは天井パネルに、凹設部を設けたことを特徴とする。
【００１１】
請求項２記載の発明は、上記請求項１記載の発明の構成中、開放部と凹設部が壁面パネルまたは壁面パネルと天井パネルを切欠して形成された開口の周囲に、浴室の外方に突出するように断断面略Ｌ字形の枠部材を取り付けた構成を有し、かつ、前記凹設部の底面となる個所には、窓の周囲一側に連続するように平板パネルを取り付けたことを特徴とする。
【００１２】
請求項３記載の発明は、上記請求項２記載の発明の構成に、上下の枠部材の対向した面に、それぞれ平面視略Ｌ字形のカバーパネルを取り付けた構成を加えたことを特徴とする。
【００１３】
請求項４記載の発明は、上記請求項３記載の発明の構成に、枠部材の室内に面した側にカバー部材を取り付け、このカバー部材の内側面に沿って設けられた係合溝に、カバーパネルの端面を係合させた構成を加えたことを特徴とする。
【００１４】
【発明の実施の形態】
以下、本発明を図示した実施の形態に基づき詳細に説明する。
【００１５】
まず、本発明のユニットルームが設置される対象とするのは、コンクリート製の建物躯体の内部隅角部、即ち、壁面同士あるいは壁面と天井が交差した個所の近傍に窓が設置された公団住宅などの浴室である。
【００１６】
また、この浴室内に設置されるユニットルームは、従来公知のユニットバスと同様に、床面に設置される防水用の防水パンと、この防水パンの周囲に立設される複数の壁面パネル、およびこの壁面パネルで形成された空間の天面を塞ぐ天井パネルとで構成され、これらでユニット化された新たな浴室空間を形成するものである。
【００１７】
ここにおいて本発明のユニットルームでは、図１に示すように躯体に設けられた窓１の前面に設置される壁面パネル２に、窓１に連続する開放部２ａを形成すると共に、この壁面パネル２に隣接した他方の壁面パネル３に、前記開放部２ａに連続する凹設部３ａを形成している。
【００１８】
図２は、上記開放部２ａと凹設部３ａの分解斜視図である。図示したように、この開放部２ａと凹設部３ａは、壁面パネル２，３を切欠して形成された開口（図示せず）の周囲に取り付けられる枠体６，７，８，９，１０，１１と、凹設部３ａの底面を構成する平板パネル１２と、上下の枠体８，９，１０，１１の対向した面に取り付けられるカバーパネル１３，１４、および枠体６，７，８，９，１０，１１の浴室内部側の面を覆うように取り付けられる細長片状のカバー部材１５，１６，１７，１８，１９，２０とからなる。
【００１９】
上記枠体６，７，８，９，１０，１１は、断面略Ｌ字形でその奥行き寸法が、窓１の周囲に取り付けられるものは、壁面パネル２の表面から窓枠１ａの前面に至る距離とほぼ等しく設定され、凹設部分３ａの周囲に取り付けられるものは、壁面パネル３の表面から躯体の内壁面、即ち、窓枠１ａが設けられた位置までの距離とほぼ等しく設定されたものである。また、この枠体６，７，８，９，１０，１１の壁面パネル２，３上に位置する部分の幅は、等しく形成されており、その表面の長手方向には、図３並びに図４に示すように一対の係合突部７ａ，７ｂ、９ａ，９ｂが設けられている。なお、図においては、枠体７，９のみを示しているが、他の枠体６，８，１０，１１にも同様に一対の係合突部が設けられている。
【００２０】
平板パネル１２は、周囲の枠体７，１０，１１やカバーパネル１８，１９，２０などと同様に、ＦＲＰなどの合成樹脂やアルミニウムなどの耐水、耐腐食性材で形成されたものである。ただし、その裏面には、壁面パネル２，３の裏面に添設されたような断熱保温材（図３と図４に符号２ｂ，３ｂで示している）は、設けられていない。
【００２１】
カバーパネル１３，１４は、上下に対向して取り付けられた枠体８，９、１０，１１のうち、下方のものと、上方のものの表面を連続して覆えるように、平面視略Ｌ字形に形成されたものである。
【００２２】
カバー部材１５，１６，１７，１８，１９，２０は、その幅が、枠体６，７，８，９，１０，１１の浴室の内面側に位置した部分の幅とほぼ等しい寸法の幅を有する細長片状に可撓性を有する合成樹脂やアルミニウムなどの金属材で形成されたものであり、その裏面には、図３並びに図４に示すように、上記係合突部９ａ，９ｂ（または７ａ，７ｂ）と係合可能な一対の係合突片１７ａ，１７ｂ（または２０ａ，２０ｂ）が設けられると共に、一方の係合突片１７ｂ（または２０ｂ）の外側に、さらに外突片１７ｃ（または２０ｃ）が設けられたものである。そして、この外突片１７ｃ（または２０ｃ）と、この外突片に向き合った係合突片１７ｂ（または２０ｂ）との間で係合溝１７ｄ（または２０ｄ）を形成している。
【００２３】
上記の各部で構成される本発明のユニットルームは、通常の浴室改装の場合と同様に、まず改装しようとする浴室内から浴槽を撤去し、浴室内に配管や、タイルあるいはモルタルなどの仕上げ材などが突出している場合は、必要に応じてこれらを適宜、除去した上で、図示しない架台等の適宜手段を用いて防水パン４を床面上に設置する。この時、防水パン４に設けられた排水口（図示せず）を、躯体側に設けられた排水口（図示せず）と適宜手段で連結しておく。そして、このように設置された防水パン４の周囲の上側に壁面パネル２，３を立設する。この時、本発明のユニットルームでは、躯体に設けられた窓１側に設置される壁面パネル２を、窓１の前面が開放されるように、その一側を凹形に切欠すると共に、この壁面パネル２に隣接して設置される他方の壁面パネル３を、前記切欠部分と連続するように、その一側を同様に凹形に切欠しておく。なお、この切欠部分の長さ（横方向の寸法）は、窓１の開閉操作や、窓１からの採光が妨げられない範囲で適宜、決定すれば良い。
【００２４】
次に、このようにして壁面の角部分に形成された開口の周囲に、枠体６，７，８，９，１０，１１を、それぞれ接着やビス止めなどの適宜手段で取り付ける。この時、窓１の上下とその片側には、奥行き寸法の大きい枠体６，８，９を取り付け、窓１のない壁面パネル３側には、奥行き寸法の小さい枠体７，１０，１１を取り付けることとする。そして、窓１と枠体７，１０，１１で囲まれた躯体壁面には、平板パネル１２を同様にして取り付け、さらに上下の枠体８，９，１０，１１の対向面にそれぞれカバーパネル１３，１４を取り付ける。この時、図３に矢印で示したように、カバー部材１７を枠体９の外側面に押し付け、カバーパネル１４の先端縁を係合溝１７ｄに係合させると共に、係合突片１７ａ，１７ｂを枠体９に設けられた係合突部９ｂ，９ａに係合させる。このことで、カバーパネル１４は、枠体９に係合したカバー部材１７により、その端縁が浴室の内部から視認不可に覆われると共に、脱落不可に固定保持されるものである。
【００２５】
なお、図示していないが、カバーパネル１４の枠体１１上に位置した部分も同様にこの枠体１１に係合したカバー部材１９で固定保持されている。また、上側のカバーパネル１３も同様に枠体８，１０に係合したカバー部材１６，１８で固定されるようになっている。
【００２６】
また、カバーパネル１３，１４が取り付けられない左右の枠体６，７には、図４の枠体７に例示するように、係合溝２０ｄが枠体７の外側（図４において左側）に位置するようにカバー部材２０を嵌め込めば良く、このことで、開口部分の内側（図４において右側）にカバー部材２０の端縁部分が、不格好に突出することが防止され、見栄え良く仕上げることができる。
【００２７】
以上のようにして、本発明が要部とする窓部分が完成する。なお、上記の組立ての際、あるいは組立後、接合部分にシーリング剤などで適宜、防水処理を施すこととする。そして、この壁面パネル２，３の上側に天井パネル４を組み付け、天面を塞ぐことにより、建物の浴室設置空間内に新たにユニットされたバスルームが構築されるものである。なお、この壁面パネル２，３や天井パネル４は、通常のユニットバスと同様に室内側から組み立てられるようになっていれば良く、その連結固定手段も従来公知のものであれば、どのようなものであっても良い。
【００２８】
また、上記の作業に先立ち、あるいは並行して、内部に浴槽を設置すると共に、必要な給水・給湯配管や電気配線の敷設作業を行う。なお、この給水・給湯配管や電気配線は、建物の躯体と、その内部に新たに構築されるユニット状の浴室との間に生じる隙間を利用して敷設することが可能である。
【００２９】
以上のようにして本発明のユニットルームは、既設の浴室内に設置されるものである。また、このユニットルームは、窓１と直角に交わる方向に設置される壁面パネル３に、凹設部３ａを設けているので、隅角部分に窓が設けられた既設の浴室を、大掛かりな工事を要することなく、簡単に改装することができると共に、この窓１が倒し込み式のものであったとしても、その開閉操作が妨げられることはない。また、窓１の前面が全て開放されることから採光が妨げられず、窓の周囲が開放されることと相まって、使用者にユニットルームの内部が広い印象を与えることができる。
【００３０】
なお、上記の実施の形態では、壁面の開放部２ａと凹設部３ａは、壁面パネル２，３を既設の窓１に対応するように切欠した後、ここに枠体６〜１１などを取り付けて形成したものを例示したが、この開放部２ａと凹設部３ａは、予め壁面パネル２，３に一体的に形成されたものであっても良い。また、枠体９，１１（または８，１０）の接合部分を隠すために、枠体８，９，１０，１１の上下に対向した面にカバーパネル１３，１４を取り付けたものを例示したが、接合部分が目立たないようであれば、このカバーパネル１３，１４は必ずしも必要ではない。さらに、その場合、カバー部材１５〜２０も省略し、構成を簡素化することも可能である。
【００３１】
なお、また上記の実施の形態では、ユニットルームとして床面に防水パン４を用いたユニットバスルームを例示したが、本発明のユニットルームは、建物の内部に新たに構築されるものであれば良く、防水パンの代わりに床パンを用いた更衣室や洗面室、あるいは洗濯機設置室などのようなものであっても良い。
【００３２】
また、実施の形態では、窓が壁面の隅角部寄りに設けられたものを例示したが、この窓は、天井寄りに設けられていても良く、その場合は、壁面パネルに設けられた凹設部を天井パネルに設ければ良い。
【００３３】
【発明の効果】
以上説明したように、本発明のうち、請求項１記載の発明は、建物の内部に設置されるユニットルームを、その壁面を構成した一つの壁面パネルの窓の前面に対応した個所を開放すると共に、この壁面パネルに隣接した他の壁面パネル、または天井パネルの前記開放部分に連続した個所を、所定範囲にわたって凹設することとしたので、躯体の隅角部寄りに窓が設けられた建物の内部を、大掛かりな工事を要することなく、短期間で費用低廉に改装することができる。また、その際、騒音や粉塵を生じるハツリ作業を必要としないので、集合住宅であっても近隣の住民に迷惑をかけることなく、作業が行える。また既設の窓をそのまま利用できるので、この面からも改装に伴う費用が削減され、しかも、この窓が倒し込み式のものであっても、その開閉が妨げられることはない。さらに、窓の前面が開放されることから採光が妨げられず、窓の周囲が開放されることと相まって、使用者にユニットルームの内部が広い印象を与えることができるという多くの優れた効果を奏する。
【００３４】
また、請求項２記載の発明は、壁面パネルまたは壁面パネルと天井パネルとを切欠し、ここに枠部材や平板パネルを取り付けることにより、開放部と凹設部を形成することとしたので、施工現場において、対応するように加工することができ、施工精度にばらつきのあった旧来の浴室などにも、容易に設置できるという効果がある。
【００３５】
請求項３記載の発明は、上下の枠部材の対向した面にそれぞれカバーパネルを取り付けたので、枠体の接合部分が隠され、請求項２記載の発明の効果に加え、仕上げの見栄えが良くなるという効果がある。
【００３６】
請求項４記載の発明は、枠部材の外側面にカバー部材を取り付け、このカバー部材に設けられた係合溝にカバーパネルの端縁を係合させることとしたので、上記請求項３記載の発明の効果に加え、カバーパネルの取付作業が容易になると共に、その取付強度が向上し、さらにカバーパネルの端縁が隠され、見栄えが一層向上するという効果が得られる。
【図面の簡単な説明】
【図１】本発明に係るユニットルームの実施形態の要部斜視図である。
【図２】図１に示したユニットルームの要部分解斜視図である。
【図３】要部の縦断説明図である。
【図４】要部の横断説明図である。
【符号の説明】
１　窓
２，３　壁面パネル
２ａ　開放部
３ａ　凹設部
２ｂ，３ｂ　断熱保温材
４　防水パン
５　天井パネル
６，７，８，９，１０，１１　枠体
９ａ，９ｂ，２０ａ，２０ｂ　係合突部
１２　平板パネル
１３，１４　カバーパネル
１５，１６，１７，１８，１９，２０　カバー部材
１７ａ，１７ｂ，２０ａ，２０ｂ　係合突片
１７ｃ，２０ｃ　外突片
１７ｄ，２０ｄ　係合溝
【図１】
2004003223.tif 000003
【図２】
2004003223.tif 000004
【図３】
2004003223.tif 000005
【図４】
2004003223.tif 000006